(57)【要約】      （修正有）【課題】高い引張力性能のみならず高い押込力性能が得られる光ファイバケーブルの端末処理構造等を提供する。【解決手段】光ファイバ２、抗張力体３及び外皮４とを有し、外皮４が光ファイバ２及び抗張力体３の先端より手前位置で除去された光ファイバケーブル１と、光ファイバ貫通孔１０ｂに光ファイバケーブル１が貫通された光ファイバ固定部材１０Ａと、外皮４と光ファイバ固定部材１０Ａの双方の先端面４ａ、１０ａで折り返された抗張力体３を、光ファイバ固定部材１０Ａの外周面との間で挟み込んで固定するカシメリング２０と、光ファイバ固定部材１０Ａに設けられ、カシメリング２０が固定されるリング固定部１１と、光ファイバ固定部材１０Ａに設けられ、ケーブル取付部材４０に固定する固定部とを備えた。【選択図】図２
2020148809.tif 000002
【特許請求の範囲】
【請求項１】
光ファイバと前記光ファイバの外周を覆う抗張力体と前記抗張力体の外周を覆う外皮とを有し、前記外皮が前記光ファイバ及び前記抗張力体の端末部の先端より手前位置で除去された光ファイバケーブルと、
光ファイバ貫通孔を有し、前記光ファイバ貫通孔に前記光ファイバケーブルが貫通された光ファイバ固定部材と、
前記外皮と前記ファイバ固定部材の双方の先端面で折り返された前記抗張力体を、前記光ファイバ固定部材の外周面との間で挟み込んで固定する固定リングと、
前記光ファイバ固定部材に設けられ、前記固定リングが固定されるリング固定部と、
前記光ファイバ固定部材に設けられ、ケーブル取付部材に固定する固定部とを備えたことを特徴とする光ファイバケーブルの端末処理構造。
【請求項２】
請求項１記載の光ファイバケーブルの端末処理構造であって、
前記光ファイバ固定部材は、前記固定リングの前記光ファイバケーブルの軸方向の移動を阻止するリング移動阻止部を有することを特徴とする光ファイバケーブルの端末処理構造。
【請求項３】
請求項１又は請求項２に記載の光ファイバケーブルの端末処理構造であって、
前記外皮の先端面は、前記光ファイバ固定部材の先端面に対して±０．５ｍｍ以内の突出位置に設定されていることを特徴とする光ファイバケーブルの端末処理構造。
【請求項４】
請求項２又は請求項３に記載の光ファイバケーブルの端末処理構造であって、
前記光ファイバ固定部材は、前記光ファイバ貫通孔が形成された筒状部材であり、
前記リング固定部は、円筒形状であり、
前記リング移動阻止部は、前記リング固定部に連続して設けられ、前記固定リングが当接する移動阻止用段差面が設けられ、
前記固定部は、前記リング移動阻止部に連続して設けられ、前記リング移動阻止部よりも外側に突出し、前記リング移動阻止部より突出する固定部がケーブル取付部材の固定用溝に差し込まれることを特徴とする光ファイバケーブルの端末処理構造。
【請求項５】
請求項２〜請求項４のいずれかに記載の光ファイバケーブルの端末処理構造であって、
前記リング移動阻止部は、前記リング固定部の直径寸法を幅寸法とし、且つ、幅方向の直交方向が前記リング固定部の前記外周面の直径寸法より大きい寸法の四角形状であり、前記リング固定部の前記外周面の直径寸法より外側の領域が前記移動阻止用段差面に形成されていることを特徴とする光ファイバケーブルの端末処理構造。
【請求項６】
請求項２〜請求項４のいずれかに記載の光ファイバケーブルの端末処理構造であって、
前記リング移動阻止部は、前記リング固定部の前記外周面の直径寸法より大きい寸法を幅寸法とし、且つ、幅方向の直交方向も前記リング固定部の前記外周面の直径寸法より大きい寸法の四角形状であり、前記リング固定部の直径寸法より大きい全周の領域が前記移動阻止用段差面に形成されていることを特徴とする光ファイバケーブルの端末処理構造。
【請求項７】
請求項２〜請求項６のいずれかに記載の光ファイバケーブルの端末処理構造であって、
前記抗張力体は、前記移動阻止用段差面と前記固定リングの内周面の間を通っていることを特徴とする光ファイバケーブルの端末処理構造。
【請求項８】
請求項１〜請求項７に記載の光ファイバケーブルの端末処理構造であって、
前記リング固定部に固定される前記固定リングは、前記リング移動阻止部よりも外側に突出する大きさに設けられており、
前記光ファイバケーブルの先端部、前記光ファイバケーブルの先端部が貫通された前記光ファイバ固定部材、及び、前記光ファイバ固定部材に固定された前記固定リングの外周を覆う弾性変形可能なブーツを有し、
前記ブーツには、前記光ファイバ固定部材の前記リング移動阻止部が入り込む開口部が設けられ、前記開口部の周縁部が前記固定リングに係止される係止部とされていることを特徴とする光ファイバケーブルの端末処理構造。
【請求項９】
請求項１〜請求項８のいずれかに記載の光ファイバケーブルの端末処理構造が適用され、
前記ケーブル取付部材は、電子部品が収容されたケースであることを特徴とする光モジュール。
【請求項１０】
請求項１〜請求項８のいずれかに記載の光ファイバケーブルの端末処理構造が適用され、
前記ケーブル取付部材は、部品が収容されたハウジングであることを特徴とする光コネクタ。
【発明の詳細な説明】
【技術分野】
【０００１】
本発明は、光ファイバケーブルの端末処理構造、及び、これを用いた光モジュール、光コネクタに関する。
【背景技術】
【０００２】
第１従来例の光ファイバケーブルの端末処理構造は、図１０に示すように、光ファイバケーブル１００と、光ファイバケーブル１００の光ファイバ１０１が貫通されたインナーカシメリング（光ファイバ固定部材）１１０と、光ファイバ１０１より外側に徐々に離間するよう広げられた抗張力体１０２をインナーカシメリング１１０の外周面との間で挟み込んで固定するアウターカシメリング１１１とを有する。インナーカシメリング１１０は、ハウジング１２０に固定されている。
【０００３】
第２従来例の光ファイバケーブルの端末処理構造は、図１１に示すように、光ファイバケーブル１００と、光ファイバケーブル１００の光ファイバ１０１が貫通されたストップリング（光ファイバ固定部材）１３０と、光ファイバ１０１より外側に徐々に離間するよう広げられた抗張力体１０２及び外皮１０３をストップリング１３０の外周面との間で挟み込んで固定するカシメリング１３１とを有する。ストップリング１３０は、ブーツ１４０及びハウジング（図示せず）に固定されている。
【０００４】
前記第１従来例及び第２従来例共に、光ファイバケーブル１００に引っ張り方向の力が作用すると、抗張力体１０２の引っ張り方向の移動がハウジング１２０、（図示せず）によって阻止されるため、高い引張力性能が得られる。
【先行技術文献】
【特許文献】
【０００５】
【特許文献１】特開２００２−１６２５３７号公報
【特許文献２】特開２０１２−１９９１８８号公報
【発明の概要】
【発明が解決しようとする課題】
【０００６】
しかしながら、前記第１従来例及び第２従来例共に、光ファイバケーブル１００に押し込み方向の力が作用すると、抗張力体１０２（第２従来例では、抗張力体１０２及び外皮１０３）の先端部がハウジング１２０、(図示せず)に固定されているだけなので、抗張力体１０２（第２従来例では、抗張力体１０２及び外皮１０３）が撓み変形若しくは座屈するため、高い押込力性能が得られないという問題がある。
【０００７】
そこで、本発明は、前記した課題を解決すべくなされたものであり、高い引張力性能のみならず高い押込力性能が得られる光ファイバケーブルの端末処理構造、及び、これを用いた光モジュール、光コネクタを提供することを目的とする。
【課題を解決するための手段】
【０００８】
本発明は、光ファイバと前記光ファイバの外周を覆う抗張力体と前記抗張力体の外周を覆う外皮とを有し、前記外皮が前記光ファイバ及び前記抗張力体の端末部の先端より手前位置で除去された光ファイバケーブルと、光ファイバ貫通孔を有し、前記光ファイバ貫通孔に前記光ファイバケーブルが貫通された光ファイバ固定部材と、前記外皮の先端面と前記ファイバ固定部材の先端面で折り返された前記抗張力体を、前記光ファイバ固定部材の外周面との間で挟み込んで固定する固定リングと、前記光ファイバ固定部材に設けられ、前記固定リングが固定されるリング固定部と、前記光ファイバ固定部材に設けられ、ケーブル取付部材に固定する固定部とを備えたことを特徴とする光ファイバケーブルの端末処理構造である。
【発明の効果】
【０００９】
本発明によれば、光ファイバケーブルに引っ張り方向の力が作用すると、抗張力体の引っ張り方向の移動が光ファイバ固定部材とカシメリングによって阻止される。光ファイバケーブルに押し込み方向の力が作用すると、外皮の先端面が抗張力体の折り返し箇所を押圧し、この押圧力によって抗張力体の折り返し箇所より先端側では光ファイバケーブルに引っ張り方向の力が作用した時と同様に張力が作用するが、抗張力体の引っ張り方向の移動が光ファイバ固定部材とカシメリングによって阻止される。従って、高い引張力性能のみならず高い押込力性能を発揮できる。
【図面の簡単な説明】
【００１０】
【図１】本発明の第１実施形態を示し、光ファイバケーブルの端末処理構造の断面図である。
【図２】本発明の第１実施形態を示し、図１のＡ１−Ａ１線断面図である。
【図３】本発明の第１実施形態を示し、（ａ）は光ファイバ固定部材の正面図、（ｂ）は光ファイバ固定部材の側面図、（ｃ）は図１のＢ１−Ｂ１断面図、（ｄ）は、図１のＣ１−Ｃ１断面図である。
【図４】本発明の第１実施形態を示し、光ファイバ固定部材の取付け過程を説明する斜視図である。
【図５】本発明の第２実施形態を示し、光ファイバケーブルの端末処理構造の断面図である。
【図６】本発明の第２実施形態を示し、図５のＡ２−Ａ２断面図である。
【図７】本発明の第２実施形態を示し、（ａ）は光ファイバ固定部材の正面図、（ｂ）は光ファイバ固定部材の側面図、（ｃ）は図５のＢ２−Ｂ２断面図、（ｄ）は図５のＣ２−Ｃ２断面図である。
【図８】本発明の第２実施形態を示し、光ファイバ固定部材の取付け過程を説明する斜視図である。
【図９】本発明の第２実施形態の光ファイバ固定部材の変形例を示し、（ａ）は光ファイバ固定部材の正面図、（ｂ）は光ファイバ固定部材の側面図、（ｃ）は図７（ｃ）に相当する断面図である。
【図１０】本発明の第１従来例を示し、光ファイバケーブルの端末処理構造の断面図である。
【図１１】本発明の第２従来例を示し、光ファイバケーブルの端末処理構造の断面図である。
【発明を実施するための形態】
【００１１】
以下、本発明の実施形態を図面に基づいて説明する。
【００１２】
（第１実施形態）
図１〜図４は本発明の第１実施形態を示す。光ファイバケーブル１の端末処理構造ＴＳ１は、光ファイバケーブル１と、光ファイバケーブル１の端末部を固定する光ファイバ固定部材１０Ａと、光ファイバケーブル１の抗張力体３を光ファイバ固定部材１０Ａに固定する固定リングであるカシメリング２０と、光ファイバケーブル１の端末部を覆うブーツ３０と、ケーブル取付部材４０とを備えている。
【００１３】
光ファイバケーブル１は、光ファイバ２と、光ファイバ２の外周を覆う抗張力体３と、抗張力体３の外周を覆う外皮４とを有する。光ファイバケーブル１の端末部では、外皮４が光ファイバ２及び抗張力体３の端末部の先端より手前位置で除去されている。換言すれば、光ファイバケーブル１の端末部では、外皮４の先端面４ａより光ファイバ２及び抗張力体３が突出している。抗張力体３は、抗張力繊維より形成されている。抗張力体３は、抗張力繊維を２束に分けられ、外皮４の先端面４ａと光ファイバ固定部材１０Ａの先端面１０ａの１８０度対向位置の２箇所で折り返されている。
【００１４】
光ファイバ固定部材１０Ａは、長手方向の光ファイバ貫通孔１０ｂが形成された部材である。光ファイバ固定部材１０Ａは、カシメリング２０を固定するリング固定部１１と、カシメリング２０の光ファイバケーブル１の軸方向の移動を阻止するリング移動阻止部１２と、ケーブル取付部材４０に固定する固定部１３とを備えている。
【００１５】
図３に詳しく示すように、リング固定部１１は、円筒形状である。従って、リング固定部１１の外周面は、円周面である。リング移動阻止部１２は、リング固定部１１に連続して設けられている。リング移動阻止部１２は、リング固定部１１の外周面の直径寸法ｄを幅寸法Ｗ１（＝ｄ）とし、且つ、幅方向の直交方向がリング固定部１１の外周面の直径寸法ｄより大きい寸法Ｈ１の四角形状である。リング移動阻止部１２には、リング固定部１１との境界に移動阻止用段差面１２ａが設けられている。
【００１６】
固定部１３は、リング移動阻止部１２に連続して設けられている。固定部１３は、リング移動阻止部１２の幅方向の直交方向の両側がリング移動阻止部１２よりそれぞれ突出する四角形状である。この両側の固定部１３がケーブル取付部材４０の固定用溝４２に差し込まれることによって、ケーブル取付部材４０に固定される。
【００１７】
カシメリング２０は、円環状である。カシメリング２０は、カシメ加工される前では、内周面の直径がリング固定部の外周面の直径寸法ｄより大きい。これにより、カシメリング２０は、光ファイバ固定部材１０Ａのリング固定部１１に挿入することができる。カシメリング２０は、カシメ加工された後では、内周面の直径がリング固定部１１の外周面の直径寸法ｄとほぼ同じになって密着し、カシメリング２０の外周面の直径Ｄ１がリング移動阻止部１２の幅方向の寸法Ｗ１（＝ｄ）より大きく、且つ、カシメリング２０の外周面の直径Ｄ１がリング移動阻止部１２の幅方向の直交方向の寸法Ｈ１より若干だけ大きい。つまり、カシメリング２０は、幅方向及びその直交方向共に、リング移動阻止部１２よりも外側に突出する。
【００１８】
カシメリング２０は、カシメ加工された後では、外皮４の先端面４ａと光ファイバ固定部材１０Ａの先端面１０ａで折り返された抗張力体３の先端部を、リング固定部１１の外周面との間で挟み込んで固定する。外皮４の先端面４ａは、光ファイバ固定部材１０Ａの先端面１０ａに対して±０．５ｍｍ以内の突出位置に設定されている。抗張力体３の先端側は、光ファイバ固定部材１０Ａの幅方向の左右側面を通ってリング固定部１１の外周面とカシメリング２０の内周面の間に導かれている。
【００１９】
ブーツ３０は、ゴム材等の弾性変形可能な材料より形成されている。ブーツ３０は、光ファイバケーブル１の端末部、光ファイバケーブル１の端末部が貫通された光ファイバ固定部材１０Ａ、及び、光ファイバ固定部材１０Ａに固定されたカシメリング２０の外周を覆っている。ブーツ３０には、光ファイバ固定部材１０Ａのリング移動阻止部１２とほぼ同じサイズの開口部３１が設けられている。ブーツ３０の開口部３１より光ファイバ固定部材１０Ａの固定部１３が外部に突出する。ブーツ３０には、カシメリング２０に係止する係止部３２が設けられている。係止部３２は、ブーツ３０の開口部３１の周縁部によって形成されている。換言すれば、開口部３１の周縁部が係止部３２を兼用している。図３（ｃ）では、係止部３２を明確化のためクロスハッチングで示す。
【００２０】
ケーブル取付部材４０は、光モジュールの場合には、例えば電子部品である受発光素子（図示せず）等を収容したケースであり、光コネクタの場合には、例えば光学部品である光フェルール（図示せず）等を収容したハウジングである。ケーブル取付部材４０は、２つの分割体４１を有し、２つの分割体４１を組付けることによって構成される。各分割体４１の合わせ面には、固定用溝４２がそれぞれ開口している。
【００２１】
次に、光ファイバケーブル１の端末処理構造ＴＳ１の組付け手順を簡単に説明する。光ファイバケーブル１の端末部は、外皮４が光ファイバ２及び抗張力体３の先端より手前位置で除去された処理がなされているものとして説明する。先ず、光ファイバケーブル１の端末部の先端よりブーツ３０を予め通しておく。次に、光ファイバケーブル１の端末部の先端よりカシメリング２０を予め通す。
【００２２】
次に、光ファイバ２の端末部を光ファイバ固定部材１０Ａの光ファイバ貫通孔１０ｂに貫通させる。次に、抗張力体３を外皮４と光ファイバ固定部材１０Ａの双方の先端面４ａ、１０ａで折り返し、折り返した抗張力体３を光ファイバ固定部材１０Ａのリング固定部１１の外周面に沿う位置に導く。次に、抗張力体３を沿わせたリング固定部１１にカシメリング２０を移動する。リング固定部１１の外周面とカシメリング２０の内周面の間に抗張力体３を介在させた状態となる。
【００２３】
次に、カシメリング２０の一方の側面が移動阻止用段差面１２ａに当接する位置でカシメリング２０をカシメ加工する。次に、予め光ファイバケーブル１に通しておいたブーツ３０を光ファイバケーブル１の端末側に向かって移動する。すると、ブーツ３０の開口部３１の周縁部とカシメリング２０が干渉するが、この干渉位置よりブーツ３０を光ファイバケーブル１の端末部の先端側に移動する。すると、ブーツ３０が開口部３１を広げる方向に弾性変形して開口部３１内にカシメリング２０が入り込む。
【００２４】
ブーツ３０の開口部３１内にカシメリング２０が入り込むと、ブーツ３０が元の状態に弾性復帰し、ブーツ３０の開口部３１の周縁部である係止部３２がカシメリング２０に係止される。係止部３２がカシメリング２０に係止することにより、ブーツ３０の開口部３１に光ファイバ固定部材１０Ａのリング移動阻止部１２に隙間なく入り込む。その後、ケーブル取付部材４０の２つの分割体４１を組付け、各分割体４１の固定用溝４０ａ、４０ｂに光ファイバ固定部材１０Ａの両側の固定部１３を差し込む。これにより、光ファイバ固定部材１０Ａがケーブル取付部材４０に固定され、組付けが完了する。
【００２５】
ケーブル取付部材４０を取付けると、ブーツ３０の係止部３２がカシメリング２０と分割体４１に挟み込まれる。これによって、ブーツ３０は、光ファイバ固定部材１０Ａに強固に固定される。
【００２６】
以上説明したように、光ファイバケーブル１の端末処理構造は、光ファイバ２と光ファイバ２の外周を覆う抗張力体３と抗張力体３の外周を覆う外皮４とを有し、外皮４が光ファイバ２及び抗張力体３の端末部の先端より手前位置で除去された光ファイバケーブル１と、光ファイバ貫通孔１０ｂを有し、光ファイバ貫通孔１０ｂに光ファイバケーブル１が貫通された光ファイバ固定部材１０Ａと、外皮４の先端面４ａとファイバ固定部材の先端面１０ａで折り返された前記抗張力体３を、光ファイバ固定部材１０Ａの外周面との間で挟み込んで固定するカシメリング２０と、光ファイバ固定部材１０Ａに設けられ、カシメリング２０を固定するリング固定部１１と、光ファイバ固定部材１０Ａに設けられ、ケーブル取付部材４０に固定する固定部１３とを備えている。
【００２７】
従って、光ファイバケーブル１に引っ張り方向の力が作用すると、抗張力体３の引っ張り方向の移動が光ファイバ固定部材１０Ａとカシメリング２０によって阻止される。光ファイバケーブル１に押し込み方向の力が作用すると、外皮４の先端面４ａが抗張力体３の折り返し箇所を押圧し、この押圧力によって抗張力体３の折り返し箇所より先端側では光ファイバケーブル１に引っ張り方向の力が作用した時と同様に張力が作用するが、抗張力体３の引っ張り方向の移動が光ファイバ固定部材１０Ａとカシメリング２０によって阻止される。従って、高い引張力性能のみならず高い押込力性能が得られる。
【００２８】
光ファイバ固定部材１０Ａは、カシメリング２０の光ファイバケーブル１の軸方向の移動を阻止するリング移動阻止部１２を有する。従って、光ファイバケーブル１に引っ張り方向の力が作用すると、光ファイバ固定部材１０Ａのリング固定部１１とカシメリング２０に挟み込まれた抗張力体３の箇所には、ａ矢印方向（図２に示す）の移動力が作用する。この抗張力体３の移動動力がカシメリング２０に作用するが、カシメリング２０のａ矢印方向（図２に示す）の移動がリング移動阻止部１２で阻止されているため、抗張力体３の移動が阻止される。
【００２９】
また、光ファイバケーブル１に押し込み方向の力が作用すると、外皮４の先端面４ａが抗張力体３の折り返し箇所を押圧し、この押圧力によって抗張力体３の折り返し箇所より先端側では光ファイバケーブル１に引っ張り方向の力が作用した時と同様に、ａ矢印方向（図２に示す）の移動力が作用する。しかし、引っ張り方向の力が作用した場合と同様に、カシメリング２０のａ矢印方向（図２に示す）の移動がリング移動阻止部１２で阻止されているため、抗張力体３の移動が阻止される。以上より、高い引張力性能と高い押込力性能の信頼性が高まる。
【００３０】
外皮４の先端面４ａは、光ファイバ固定部材１０Ａの先端面１０ａに対して±０．５ｍｍ以内の突出位置に設定されている。従って、光ファイバケーブル１に押し込み方向の力が作用すると、外皮４の先端面４ａが抗張力体３の折り返し箇所に確実に当接するため、高い押込力性能の信頼性が高まる。例えば、外皮４の先端面４ａが光ファイバ固定部材１０Ａの先端面１０ａより退出していたり、抗張力体３に少しの弛みがあっても、光ファイバケーブル１の押し込み方向の少ない移動で外皮４の先端面４ａが抗張力体３の折り返し箇所に当接する。
【００３１】
光ファイバ固定部材１０Ａは、長手方向に光ファイバ貫通孔１０ｂが形成された部材であり、リング固定部１１は、円筒形状である。そして、リング移動阻止部１２は、リング固定部１１に連続して設けられ、カシメリング２０が当接する移動阻止用段差面１２ａが設けられ、固定部１３は、リング移動阻止部１２に連続して設けられ、リング移動阻止部１２よりも外側に突出し、リング移動阻止部１２より突出する固定部１３がケーブル取付部材４０の固定用溝に差し込まれる。
【００３２】
従って、光ファイバ固定部材１０Ａは、光ファイバケーブル１に貫通されること、及び、固定部１３がケーブル取付部材４０の固定用溝に差し込まれることよりコンパクトに設置できるため、光ファイバケーブル１の端末処理構造がコンパクトになる。
【００３３】
カシメリング２０は、リング移動阻止部１２よりも外側に突出する大きさに設けられており、光ファイバケーブル１の先端部、光ファイバケーブル１の先端部が貫通された光ファイバ固定部材１０Ａ、及び、光ファイバ固定部材１０Ａに固定されたカシメリング２０の外周を覆う弾性変形可能なブーツ３０を有し、ブーツ３０には、光ファイバ固定部材１０Ａのリング移動阻止部１２が入り込む開口部３１が設けられ、開口部３１の周縁部がカシメリング２０に係止される係止部３２とされている。
【００３４】
従って、ブーツ３０の開口部３１に光ファイバ固定部材１０Ａを挿入すると、ブーツ３０が開口部３１を広げる方向に弾性変形してカシメリング２０が開口部３１内に入り込み、ブーツ３０の開口部３１の周縁部である係止部３２がカシメリング２０に係止される。これにより、ブーツ３０を容易に光ファイバ固定部材１０Ａに固定できる。また、ブーツ３０の開口部３１の周縁部が係止部３２を兼用するため、ブーツ３０の構成が複雑化しない。
【００３５】
ブーツ３０は、カシメリング２０の幅方向及びその直交方向の４箇所で係止されるため、ブーツ３０をカシメリング２０に強固に固定できる。
【００３６】
（第２実施形態）
図５〜図８は、本発明の第２実施形態を示す。この第２実施形態では、前記第１実施形態と比較するに、次の構成が相違する。
【００３７】
光ファイバ固定部材１０Ｂのリング移動阻止部１２は、図７に詳しく示すように、リング固定部１１の外周面の直径寸法ｄより大きい寸法を幅寸法Ｗ２とし、且つ、幅方向の直交方向もリング固定部１１の外周面の直径寸法ｄより大きい寸法Ｈ２の四角形状である。幅方向の直交方向の寸法Ｈ２は、幅寸法Ｗ２より小さい。リング移動阻止部１２は、リング固定部１１の直径寸法より大きい全周の領域が移動阻止用段差面１２ａに形成されている。
【００３８】
カシメリング２０は、カシメ加工される前では、内周面の直径がリング固定部１１の外周面の直径寸法ｄより大きく、外周面の直径Ｄ２がリング移動阻止部の幅方向の寸法Ｗ２と同じ大きさに形成されている。カシメリング２０は、カシメ加工された後では、内周面の直径がリング固定部１１の外周面の直径寸法ｄとほぼ同じとなり、外周面の直径Ｄ２がリング移動阻止部１２の幅方向の寸法Ｗ２と同じ大きさで、且つ、リング移動阻止部１２の幅方向の直交方向の寸法Ｈ２より若干だけ大きい。つまり、カシメリング２０は、幅方向の直交方向にだけ、リング移動阻止部１２よりも外側に突出する大きさである。
【００３９】
抗張力体３は、移動阻止用段差面１２ａとカシメリング２０の内周面の間を通る経路で折り返されている。
【００４０】
他の構成は、前記第１実施形態と同様であるため、重複説明を省略する。図面の同一構成箇所には、同一符号を付して説明を省略する。
【００４１】
この第２実施形態でも、前記第１実施形態と同様の理由によって、高い引張力性能のみならず高い押込力性能が得られる等の効果を有する。
【００４２】
抗張力体３は、移動阻止用段差面１２ａとカシメリング２０の内周面の間を通る経路で折り返されている。従って、抗張力体３は、カシメリング２０の角にあたり、且つ、屈曲経路を経路とするため、摩擦力が向上し、更に高い引張力性能と押込力性能が得られる。
【００４３】
ブーツ３０は、カシメリング２０の幅方向の直交方向の２箇所で係止されるため、ブーツ３０をカシメリング２０に固定できる。図７（ｃ）では、係止部３２を明確化のためクロスハッチングで示す。
【００４４】
（第２実施形態の変形例）
図９は第２実施形態の変形例の光ファイバ固定部材１０Ｃを示す。図９に示すように、光ファイバ固定部材１０Ｃのリング移動阻止部１２は、正面視（図９の図示方向）で、８角形に形成されている。カシメ加工後のカシメリング２０の直径Ｄ３は、８角形の対角線の長さに形成されている。ブーツ３０の開口部３１は、リング移動阻止部１２とほぼ同じサイズの開口に形成されている。
【００４５】
光ファイバ固定部材１０Ｃの他の構成は、第２実施形態と同様であるため、重複説明を省略する。図面の同一構成箇所には、同一符号を付して説明を省略する。
【００４６】
この変形例の光ファイバ固定部材１０Ｃでは、ブーツ３０がカシメリング２０の８方向の箇所で係止されるため、ブーツ３０をカシメリング２０に更に強固に固定できる。図９（ｃ）では、係止部３２を明確化のためクロスハッチングで示す。
【００４７】
この変形例では、リング移動阻止部１２が８角形であるが、その以外の多角形でも良い。つまり、ブーツ３０が２箇所以上で係止できる形状であれば良い。
【００４８】
（その他）
前記各実施形態では、カシメリング２０が円環形状であり、リング移動阻止部１２が四角形状であるため、カシメリング２０とリング移動阻止部１２とにおける寸法関係を幅方向と幅方向の直交方向で示した。本発明では、カシメリング２０がリング移動阻止部１２よりも外側に突出する大きさに設けられる寸法関係であれば良い。そして、リング移動阻止部１２よりも外側に突出するカシメリング２０の部位にブーツ３０の係止部３２が一部でも係止される構成であれば良い。係止部３２は、開口部３１の周縁部ではなく開口部３１に突出する構造でも良い。
【００４９】
前記各実施形態にあって、抗張力体３は、抗張力繊維より形成されているが、鋼線等の高い強度を有する部材であれば良い。
【００５０】
前記各実施形態にあって、光ファイバ固定部材１０Ａ〜１０Ｃは、合成樹脂材、金属材等より形成されるが、金属材が好ましい。
【００５１】
前記各実施形態にあって、固定リングは、抗張力体３３を光ファイバ固定部材１０Ａ〜１０Ｃにカシメ固定するカシメリング２０であるが、抗張力体３を光ファイバ固定部材１０Ａ〜１０Ｃに固定できるものであれば良い。
【００５２】
前記各実施形態にあって、光ファイバ２は、１本でも複数本でも良い。光ファイバ２は、単心であても、束ねられたテープ状であっても良い。
【符号の説明】
【００５３】
ＴＳ１、ＴＳ２  端末処理構造
１  光ファイバケーブル
２  光ファイバ
３  抗張力体
４  外皮
４ａ  先端面
１０  光ファイバ固定部材
１０ａ  先端面
１０ｂ  光ファイバ貫通孔
１１  リング固定部
１２  リング移動阻止部
１２ａ  移動阻止用段差面
１３  固定部
２０  カシメリング（固定リング）
３０  ブーツ
３１  開口部
３２  係止部
４０  ケーブル取付部材
４２  固定用溝
【図１】
2020148809.tif 000003
【図２】
2020148809.tif 000004
【図３】
2020148809.tif 000005
【図４】
2020148809.tif 000006
【図５】
2020148809.tif 000007
【図６】
2020148809.tif 000008
【図７】
2020148809.tif 000009
【図８】
2020148809.tif 000010
【図９】
2020148809.tif 000011
【図１０】
2020148809.tif 000012
【図１１】
2020148809.tif 000013